(57)【特許請求の範囲】
【請求項１】
調理中の汚染空気を吸い込み捕集する吸込み口から汚染空気を屋外に排気または室内に戻す吐出し口に至る排気風路に、フィルタ部材を回転可能に具備するフィルタ清掃装置を備え、
前記フィルタ清掃装置は、円盤形状に形成されている前記フィルタ部材を駆動回転させる駆動手段と、
前記フィルタ部材のフィルタ面に沿って圧接させて付着物を取り除く付着物除去手段と、を備えているレンジフードであって、
前記フィルタ部材は、回転中心部を中心とする回転円周線上に沿わせて前記汚染空気の通気部を、断続的または連続的に備えてなり、
前記通気部は、前記回転円周線またはその接線と略平行に切り込まれる２本の切込み縁の間に、前記フィルタ部材のフィルタ面から凸状に設けられる空気衝突面部と、該空気衝突面部と前記２本の切込み縁との間に設けられる通気孔と、から形成され、
前記付着物除去手段は、前記フィルタ部材の回転時に、前記フィルタ面と前記空気衝突面部とからなる凸凹面に沿わせるように圧接させる付着物除去部材を備えていることを特徴とするレンジフード。
【請求項２】
前記空気衝突面部は、前記排気風路の排気下流側に向けて凸状に形成され、
前記付着物除去手段は、前記付着物除去部材を前記前記フィルタ部材に対して排気上流側から圧接させる位置に配設されていることを特徴とする請求項１に記載のレンジフード。
【請求項３】
前記空気衝突面部の凸状幅は、前記フィルタ部材の回転中心部を中心とする回転円周線またはその接線と略平行に切り込まれる２本の切込み縁の切込み間隔よりも幅狭に形成されていることを特徴とする請求項１または請求項２に記載のレンジフード。
【請求項４】
前記通気部は、前記フィルタ部材の回転中心部を中心とする複数の各回転円周線上に沿わせてそれぞれ備えられ、
前記付着物除去部材は、前記複数の各回転円周線と交差する方向に配設されて、前記フィルタ部材の回転時に、前記凸凹面に合わせて弾性変形するように形成されていることを特徴とする請求項１〜３のいずれかに記載のレンジフード。
【請求項５】
前記通気部は、前記フィルタ部材の回転中心部を中心とする複数の各回転円周線上に沿わせてそれぞれ備えられ、
前記付着物除去部材は、前記複数の各回転円周線と交差する方向に配設されるとともに、前記フィルタ部材の回転時に、前記凸凹面に沿わせるように圧接させる圧接縁辺部が、前記各回転円周線と交差する位置に凸部または凹部を備え、交差しない位置には凹部または凸部を備えた凸凹形状に形成されていることを特徴とする請求項１〜３のいずれかに記載のレンジフード。
【請求項６】
前記凸部および前記凹部の一方または双方が、前記フィルタ部材の回転時に、前記凸凹面に合わせて弾性変形するように形成されていることを特徴とする請求項５に記載のレンジフード。
【請求項７】
前記フィルタ部材に、親水性または撥水性の表面処理が施されていることを特徴とする請求項１〜６のいずれかに記載のレンジフード。
【発明の詳細な説明】
【技術分野】
【０００１】
本発明は、調理中に発生する汚染空気（汚染物質）を吸い込み捕集して屋外に排気または汚染空気を清浄化した後に室内（キッチン）に戻すレンジフードに係り、特に、汚染空気中に含まれている油脂分や塵埃など汚れを分離回収するフィルタ部材の清掃を行うフィルタ清掃装置を備えたレンジフードに関する。
【背景技術】
【０００２】
レンジフードには、調理中に加熱調理器や調理鍋などから舞い上がってくる廃ガスや油煙などの汚染空気を吸い込み捕集するために略下向きに開口させた吸込み口（捕獲空間）が設けられている。また、吸込み口から吸い込み捕集された汚染空気を、排気ダクトを介して屋外に排気する吐出し口に至る内部の排気風路には油脂分や塵埃などの汚れを汚染空気から分離回収（捕獲）するためのフィルタ部材が設けられている。
【０００３】
そして、近年では、使用者が定期的に行っているフィルタ部材の清掃作業の軽減、つまり、汚染空気から分離回収されてフィルタ部材の表面などにこびり付くように付着している頑固な油脂分などを取り除くなどの、面倒で手間の掛かる清掃作業を軽減する目的で、油脂分などの付着物をフィルタ部材から機械的などの動きによって拭き取るように取り除くフィルタ清掃装置を備えたレンジフードが提案されている（例えば、特許文献１などを参照）
【先行技術文献】
【特許文献】
【０００４】
【特許文献１】特開２００６−２９２２４８号公報（段落番号００２６、および図１参照）
【発明の概要】
【発明が解決しようとする課題】
【０００５】
しかしながら、特許文献１に記載の従来技術では、フィルタ部材の表面に接しながら移動するブラシ（汚れ拭取り手段）によって、フィルタ部材に付着する汚れを取り除く構成を採用しているために、フィルタ部材から取り除かれた汚れがブラシの植毛繊維の間に入り込んでしまう。特に、取り除かれた油脂分が植毛繊維の間に入り込んで固まり、ひいては、汚れをフィルタ部材の表面から取り除くブラシ本来の拭取り作用、所謂清掃機能が低下してしまうおそれがある。
【０００６】
また、従来技術では、使用とともに植毛繊維の間に油脂分が徐々に堆積し、最悪の場合には植毛繊維の間に入り込んだ油脂分によって植毛繊維同士が結合してしまうなどのブラシ自体が目詰まりを引き起す。
そのために、ブラシそのものを定期的に取り外して、植毛繊維の間に入り込んだ油脂分などの汚れを取り除く清掃を必要とするばかりか、取り除くことができずに、新しいものと交換せざる得ない状態を招くなどの取扱い上の問題が有していた。
【０００７】
そこで、本出願人は、このような特許文献１が有する問題を解消し、清掃機能を低下させることなく長期にわたり継続的に使用することを可能として、使用者に対するメンテナンスなどを大幅に軽減することを実現したフィルタ清掃装置を備えたレンジフードを先に提案している（特願２０１０−１０４５９４号参照）。
【０００８】
ところで、本出願人が先に提案したフィルタ清掃装置に適用されているフィルタ部材は、排気風路の排気上流側と排気下流側に面するフィルタ両面に通じる無数の通気孔を平面的に開口点在させた、所謂パンチングメタルフィルタである。
一方、汚染空気から分離回収されてフィルタ面などに付着した油脂分や塵埃などの汚れを掻き落とすように取り除く付着物除去部材は、適宜の弾性を有する不燃性材料によってフィルタ面に平面的に圧接させる略平面板状に形成されている。
【０００９】
そのために、本出願人が先に提案しているフィルタ清掃装置を備えたレンジフードでは、調理後などにおいてフィルタ部材を駆動回転させて油脂分や塵埃などの汚れをフィルタ面から取り除く際に、汚れがフィルタ面から付着物除去部材によって掻き落とされる過程において、特に、油脂分が平面的に開口されて点在する通気孔の孔内側に流れ込んでしまうなどによって油脂分を取り逃がし、油脂分を完全に取り除くことができない。また、通気孔を塞ぐように油脂分の油脂膜ができるおそれがあるなど、改善の余地が残されていた。
【００１０】
そこで、本発明は、このような改善すべき課題に着目し、フィルタ面に沿わせて付着物除去部材を圧接させて油脂分や塵埃などの汚れを取り除く構成のフィルタ清掃装置を備えたレンジフードであって、汚れを取り逃がすことなく、確実に、かつ、効率的に取り除くフィルタ清掃が可能であること、汚染空気からの汚れの捕獲回収率（捕集回収率）の向上が期待できる汚染空気の通気構造とすること、などを目的とする。
【課題を解決するための手段】
【００１１】
前記課題を解決するために、本発明では、調理中の汚染空気を吸い込み捕集する吸込み口から汚染空気を屋外に排気または室内に戻す吐出し口に至る排気風路に、フィルタ部材を回転可能に具備するフィルタ清掃装置を備え、該フィルタ清掃装置は、円盤形状に形成されている前記フィルタ部材を駆動回転させる駆動手段と、前記フィルタ部材のフィルタ面に沿って圧接させて付着物を取り除く付着物除去手段とを備えているレンジフードであって、
前記フィルタ部材は、回転中心部を中心とする回転円周線上に沿わせて前記汚染空気の通気部を断続的または連続的に備えてなり、前記通気部は、前記回転円周線またはその接線と略平行に切り込まれる２本の切込み縁の間に、前記フィルタ部材のフィルタ面から凸状に設けられる空気衝突面部と、該空気衝突面部と２本の切込み縁との間に設けられる通気孔とから形成され、
前記付着物除去手段は、前記フィルタ部材の回転時に、前記フィルタ面と前記空気衝突面部とからなる凸凹面に沿わせるように圧接させる付着物除去部材を備えていることを特徴とする。
【００１２】
ここで、前記空気衝突面部は、前記排気風路の排気下流側に向けて凸状に形成され、前記付着物除去手段は、前記付着物除去部材を前記前記フィルタ部材に対して排気上流側から圧接させる位置に配設されていること、また、前記空気衝突面部の凸状幅は、前記フィルタ部材の回転中心部を中心とする回転円周線またはその接線と略平行に切り込まれる２本の切込み縁の切込み間隔よりも幅狭に形成されていること、などの構成を採用することが好適なものとなる。
【００１３】
また、前記通気部は、前記フィルタ部材の回転中心部を中心とする複数の各回転円周線上に沿わせてそれぞれ備えられ、前記付着物除去部材は、前記複数の各回転円周線と交差する方向に配設されて、前記フィルタ部材の回転時に、前記凸凹面に合わせて弾性変形するように形成されていることが好適なものとなる。
前記フィルタ部材の半径方向の凸凹面に沿って圧接される前記圧接縁辺部を弾性変形させるための構造形態としては、例えば、所望の押圧力によって圧接縁辺部をフィルタ面に圧接させた状態で、凸凹面に合わせて凸凹状に弾性変形する程度の軟らかさを有する不燃性ゴム材などを用いて、付着物除去部材の圧接縁辺部側のみを形成、または、付着物除去部材全体を形成する。また、適度の弾性を有する不燃性ゴム材などを用いて形成された付着物除去部材の圧接縁辺部に、所望の切込み深さで長さ方向に細かな間隔にて切目を入れることで、切れ目によって長さ方向に分離された多数の細部片を備えて、例えば、凸凹面のうち、凸部面に圧接される細部片部分では凸部面の凸形状や高さに合わせて大きく弾性変形するようにするなどの構造形態を挙げることができる。
【００１４】
また、他の構造形態としては、前記凸凹面に沿って圧接される前記圧接縁辺部側を、例えば、前記空気衝突面部の凸状幅などに合わせて長手方向に独立させたブロック状に分断（分割）し、コイル状のバネ材などを用いて分断された各分断部をそれぞれ支持させて、凸部に圧接される分断部部分では凸部の凸状高さに合わせて凹む（後退する）ように形成するなどの構造形態を挙げることができる。
【００１５】
また、前記通気部は、前記フィルタ部材の回転中心部を中心とする複数の各回転円周線上に沿わせてそれぞれ備えられ、前記付着物除去部材は、前記複数の各回転円周線と交差する方向に配設されるとともに、前記フィルタ部材の回転時に、前記凸凹面に沿わせるように圧接させる圧接縁辺部が、前記各回転円周線と交差する位置に凸部または凹部を備え、交差しない位置に凹部または凸部を備えていることを特徴とする。この場合、前記凸部および前記凹部の一方または双方が、前記フィルタ部材の回転時に、前記凸凹面に合わせて弾性変形するように形成されていることが好適であり、また、前記凸部と前記凹部との境目に切目が設けて、両者を切り離した形態とすることが好適なものとなる。
また、前記フィルタ部材に、親水性または撥水性の表面処理が施されていることが好適なものとなる。
【００１６】
このような構成によれば、汚染空気中から分離回収されてフィルタ部材に付着している油脂分や塵埃などの汚れ（付着物）は、駆動回転するフィルタ部材のフィルタ面と通気部の空気衝突面部との段差からなる凸凹面に沿わせて圧接される付着物除去手段の付着物除去部材によって掻き落とされるようにしてフィルタ面および通気部の空気衝突面部から取り除かれる。
このとき、フィルタ面に圧接する付着物除去部材の圧接縁辺部は、フィルタ面と空気衝突面部との凸凹面に合わせて弾性変形し、フィルタ面および空気衝突面部に対するそれぞれの圧接状態が保たれてフィルタ面および空気衝突面部に付着している汚れを取り除くフィルタ部材の清掃が行われる。
【００１７】
また、付着物除去部材の圧接縁辺部が、フィルタ面と通気部の空気衝突面部とからなる凸凹面に合わせた凸部と凹部とを備えている。詳しくは、通気部が形成されるフィルタ部材の回転中心部を中心とする複数の各回転円周線と交差する位置に凸部または凹部を備え、交差しない位置には凹部または凸部を備えた凸凹形状に形成されている構成を採用することで、フィルタ部材の回転時に、フィルタ面および空気衝突面部に対する圧接縁辺部の圧接状態がより確実に保たれて、フィルタ面および空気衝突面部に付着している汚れを確実に、かつ、効率的に取り除くフィルタ部材の清掃が行われる。
例えば、空気衝突面部が、排気風路の排気上流側に面するフィルタ面（付着物除去手段が配設されるフィルタ面）から排気下流側に向けて凸状に形成されている。すなわち、排気風路の排気上流側に面するフィルタ面側から見たとき、該フィルタ面から排気下流側に向けて凹状に形成された空気衝突面部とフィルタ面からなる凸凹面である場合には、この凸凹面に沿うように圧接される付着物除去部材の圧接縁辺部を、凹状の空気衝突面部に圧接させる位置（前記各回転円周線と交差する位置）に凸部を備え、フィルタ面に圧接させる位置（前記各回転円周線と交差しない位置）に凹部を備えた凸凹縁構造とする。
これにより、フィルタ部材の回転時に、圧接縁辺部の凸部が凹状の空気衝突面部に、凹部がフィルタ面に対してそれぞれ適切な状態で圧接されることで、フィルタ面および空気衝突面部から汚れを取り除くフィルタ部材の清掃が良好に行われる。
【００１８】
また、前記した圧接縁辺部の凸部が、フィルタ部材の回転円周線に沿う凸凹面に合わせて弾性変形するように形成され、通気部が回転円周線上に断続的に配置されている場合、凸部は、弾性変形のもとで回転円周線上に存在する通気部の空気衝突面部とフィルタ面に対する圧接状態が確実に保たれ、フィルタ面および空気衝突面部から汚れを取り除くフィルタ部材の清掃が行われる。
【００１９】
また、通気部の空気衝突面部を、前記のように排気風路の排気下流側に向けた凸状の構成を採用した場合、空気衝突面部とフィルタ部材の回転円周線またはその接線と略平行に切り込まれる２本の切込み縁との間に汚染空気が通過する通気孔を設けた構造を採用することで、調理中の汚染空気が排気風路の排気上流側からフィルタ部材を通過して排気風路の排気下流側へ通り抜けるとき、汚染空気は空気衝突面部へ衝突（接触）しながら、側方（汚染空気が通過する方向に対して直交するフィルタ面方向）に向けて開口する通気孔方向へ向きを大きく変えながら排気下流側に抜ける。
これにより、汚染空気中の油脂分や塵埃などの汚れは、空気衝突面部への衝突によって分離回収される。つまり、汚染空気がフィルタ部材を通過するときの空気衝突面部への衝突によるフィルタ部材への付着によって行われる汚れの回収原理を最大限に作用させて、汚染空気から汚れを分離回収することができる。
【００２０】
一方、前記した付着物除去部材の圧接縁辺部の凸凹縁構造に対し、空気衝突面部が、排気風路の排気下流側に面するフィルタ面から排気上流側に向けて凸状に形成されている。すなわち、排気風路の排気上流側に面するフィルタ面（付着物除去手段が配設されるフィルタ面）側から見たときに、該フィルタ面から排気上流側に向けて凸状に形成された空気衝突面部とフィルタ面からなる凸凹面である場合には、この凸凹面に沿うように圧接される付着物除去部材の圧接縁辺部を、凸状の空気衝突面部に圧接させる位置（前記各回転円周線と交差する位置）に凹部を備え、フィルタ面に圧接させる位置（前記各回転円周線と交差しない位置）に凸部を備えた凸凹縁構造とする。
これにより、フィルタ部材の回転時に、圧接縁辺部の凹部が凸状の空気衝突面部に、凸部がフィルタ面に対してそれぞれ適切な状態で圧接されることで、フィルタ面および空気衝突面部から汚れを取り除くフィルタ部材の清掃が良好に行われる。
この場合、圧接縁辺部の凹部と凸部が弾性変形可能に形成され、なおかつ、凹部と凸部との境目に両者を切り離す切目が形成されている構成を採用することで、例えば、通気部が回転円周線上に断続的に配置されている場合、凸部は弾性変形した状態でフィルタ部材のフィルタ面に圧接されるとともに、凹部は回転円周線上に存在するフィルタ面に圧接した状態で付着除去部材がフィルタ除去装置に設置される。そして、フィルタ部材の回転時に、凹部の圧接が回転円周線上のフィルタ面から凸状の空気衝突面部へと移るときに、凹部は弾性変形することで凸状の通気衝突面部に対する圧接状態が保たれる。このとき、凸部は凹部との境界に設けられている切目によって凹部と切り離されていることで、凹部の弾性変形に大きく影響されることなく、フィルタ面に対する圧接状態が保たれる。これにより、フィルタ面および空気衝突面部から適確に汚れを取り除くフィルタ部材の清掃が行われる。
【００２１】
そして、調理中に汚染空気が通過する通気孔は、汚れが付着するフィルタ面および空気衝突面部に対して直交する方向を向いて開口されていることで、付着物除去部材によってフィルタ面および空気衝突面部から汚れを掻き落す過程において、汚れを通気孔の孔縁内側に取り逃がすことなく、しかも、通気孔を油脂膜の発生によって塞ぐことなく、フィルタ部材の清掃を遂行させることができる。
【００２２】
また、フィルタ部材の回転円周線またはその接線と略平行に切り込まれる２本の切込み縁の切込み間隔よりも空気衝突面部の凸状幅が幅狭に形成されている構成の通気部構造を採用することで、付着物除去部材によるフィルタ面および空気衝突面部から汚れの掻き落し過程において、通気孔を塞ぐ油脂膜の発生をより確実に防ぐことができる。
つまり、２本の切込み縁（縁延長線上）よりも内側に位置して存在する空気衝突面部の凸状幅縁と２本の切込み縁との間に形成される通気孔は、１つの平面（フィルタ面と面一の平面）ではなく、この１つの平面と空気衝突面部の凸方向の垂直平面との２つの平面により断面視で略Ｌ字開口形状になっている。これにより、１つの平面による通気孔の場合と比較して油脂膜は安定状態になり難いために、通気孔を塞ぐ油脂膜の発生を抑えることができる。
【００２３】
また、フィルタ部材に親水性または撥水性の表面処理が施されていることで、汚れなどの溜まりを防ぎ、汚れが落ち易くなることから、付着物除去部材によって速やかに、かつ、効率的に汚れを取り除くことができる。
【発明の効果】
【００２４】
本発明のフィルタ清掃装置を備えたレンジフードによれば、駆動回転するフィルタ部材から油脂分や塵埃などの汚れを掻き落すように取り除く過程において、汚れを通気孔の孔縁内側に取り逃がすことなく、しかも、油脂膜の発生によって通気孔を塞ぐことなく、駆動回転するフィルタ部材の汚れが付着しているフィルタ面および空気衝突面部から汚れを取り除くフィルタ部材の清掃を遂行させることができる。
また、フィルタ面および通気部の空気衝突面部とからなる凸凹面に付着している汚れを、弾性変形または凸部と凹部とを備えている付着物除去部材の圧接縁辺部によって確実に、かつ、効率的に取り除くことができる。
これにより、清掃機能を低下させることなく長期使用が可能となることから、使用者に対するメンテナンスなどの手間を軽減させることができる。
【００２５】
また、本発明のフィルタ清掃装置を備えたレンジフードによれば、調理中の汚染空気が排気風路の排気上流側からフィルタ部材を通過して排気下流側へ通り抜けるとき、汚染空気は通気部の空気衝突面部に衝突（接触）しながら、側方（フィルタ面方向）に向けて開口する通気孔方向へ向きを大きく変えながら排気下流側に抜ける。
これにより、排気空気の衝突による油脂分や塵埃などの汚れの分離回収率（捕獲または捕集回収率）を向上させることができる。
【図面の簡単な説明】
【００２６】
【００２７】
【図１】フィルタ清掃装置が適用された本実施形態に係るレンジフードを示す縦断側面図である。
【図２】同レンジフードの要部（フィルタ清掃装置）を拡大して示す断面図である。
【図３】フィルタ部材を示し、（ａ）は、排気上流側を見たときの斜視図であり、（ｂ）は、構成説明図である。
【図４】同フィルタ部材の通気部の一部を拡大して示す断面図であり、（ａ）は、回転円周方向の断面図であり、（ｂ）は、半径方向の断面図である。
【図５】同フィルタ部材を通過するときの排気空気の流れを示す説明図である。
【図６】本実施形態に係るフィルタ清掃装置の分解斜視図である。
【図７】図６の続きを示すフィルタ清掃装置の分解斜視図である。
【図８】付着物除去手段を示す分解斜視図である。
【図９】フィルタ部材の清掃時における付着物除去部材のフィルタ部材への圧接状態を示す説明図であり、（ａ）は、フィルタ部材の駆動回転に伴い付着物除去部材の凸部が通気部の空気衝突面部に圧接し、凹部がフィルタ面に圧接している状態を示し、（ｂ）は、凸部が凹部とともにフィルタ面に圧接している状態を示す。
【図１０】フィルタ部材の他の実施形態を示し、排気下流側から見たときの斜視図である。
【図１１】同フィルタ部材の通気部の一部を拡大して示す断面図であり、（ａ）は、回転円周方向の断面図であり、（ｂ）は、半径方向の断面図である。
【発明を実施するための形態】
【００２８】
以下、本発明の実施形態について、適宜図面を参照しながら詳細に説明する。
図１は、本実施形態に係るレンジフードを示す縦断面図であり、図２および図３は、要部を拡大して示す断面図である。
なお、レンジフードとしては、捕獲空間が浅く形成されている薄型（平型）タイプと、捕獲空間が深く形成されている深型タイプとの２種類に大別されるが、本実施形態では、図１に示すように、薄型タイプのレンジフードを挙げて説明する。また、薄型タイプのレンジフードでは、フード部の上に送風機が縦置きに設置される縦置きタイプと、送風機が横置きに設置される横置きタイプとがあるが、本実施形態では、図１に示すように、横置きタイプのレンジフードを挙げて説明する。
【００２９】
≪レンジフードの説明≫
レンジフードＡは、周知のように、調理中に発生する油煙、湯煙（水蒸気）、熱気、そして廃ガスなどの汚染空気Ｇを吸込み捕集し、図示省略の排気ダクトを通して屋外に排気、または、排気風路１０の排気下流側に配置されている図示省略の脱臭フィルタなどの各種フィルタを具備する濾過装置により分離除去して清浄化した後に、クリーンな空気として室内に戻すように構成されている。
このレンジフードＡは、図１に示すように、薄型（平型）で下向きに開口する捕獲空間Ｍを有するフード部１と、このフード部１の上に設置される送風機２と、捕獲空間Ｍの下向き開口部に取り付けられる整流板３とを備えて構成されている。
【００３０】
このように、フード部１の上に送風機２を設置している薄型のレンジフードＡは、周知の設置構造によってキッチンに取り付け設置される。例えば、図１に示すように、送風機２の後記する送風機ボックス２ａがＬ形の吊り金具４を用いたネジ止めなどによってキッチン壁Ｋに取り付けられて、図示省略の加熱調理器の略真上に位置して設置される。
【００３１】
フード部１は、下向き開口する扁平箱型に形成され、開口内側にオイルパネル５が取り付けられることで、所望の深さを有する下向き凹部形状の捕獲空間Ｍが開口内側に備えられるようになっている。
オイルパネル５は、周辺縁部を残して上方に膨出させた凹みを備え、周辺縁部がフード部１の開口内側にスポット溶着やネジ止めなどの止着手段を用いて取り付けられるように形成されている。
これにより、フード部１の厚さ（高さ）内に収まる深さで、キッチン壁面Ｋに突き合わせされるフード部１の背面側（図１紙面右側）からキッチン側（図１紙面左側）に位置するフード部１の前面側に至るにしたがって深さが徐々に深くなる捕獲空間Ｍが、フード部１の開口内側に形成される。
【００３２】
また、フード部１は、送風機２が設置される背面側に位置する天板１ａの一部に、捕獲空間Ｍに連通させた送風機設置部６を天板１ａよりも高く備えて、後記のフィルタ清掃装置Ｂを構成する駆動手段１６のモータ１６ａを内設し得る空間を、捕獲空間Ｍと送風機ボックス２ａとの間に確保するようにしている。つまり、図１に示すように、捕獲空間Ｍに連通させてオイルパネル５に取り付けられるフィルタ清掃装置Ｂをフード部１内に組み込み内設し得るようにしている。
【００３３】
送風機２は、図１に示すように、下面を開口させた略四角形状の箱型に形成されている送風機ボックス２ａの内部に、ファンケーシング２ｂを横置き状態で内設してなる。
ファンケーシング２ｂは、排気ダクトが接続される吐出し口７を有するボリュート形状に形成され、ファンモータ２ｃに軸支されて同軸上に収容される排気ファン２ｄを収容している。
【００３４】
整流板３は、捕獲空間Ｍの下向き開口部の開口形状よりも小さい平板形状に形成されて、捕獲空間Ｍに開閉・係脱自在に取り付けられる。これにより、図１に示すように、整流板３の周囲各辺縁部と捕獲空間Ｍの開口周縁部との間に汚染空気Ｇの吸込み口８が確保されて、汚染空気Ｇが整流板３に沿って吸込み口８から捕獲空間Ｍ内に勢い良く吸気（捕集）されるようになっている。
【００３５】
また、レンジフードＡは、図１に示すように、フード部１の調理者側である前面部にスイッチ操作部９を備えている。
このスイッチ操作部９は、送風機２の運転（強・中・弱）開始、停止の切り替え、そしてフィルタ清掃装置Ｂの運転開始、停止の切り替えなどの操作を行うタッチやプッシュタイプからなるスイッチ類（図示省略）を備えている。
【００３６】
そして、このように構成されているレンジフードＡの吸込み口８から吐出し口７に至る排気風路１０に、フィルタ部材１１を回転可能に具備するフィルタ清掃装置Ｂを備えている。
これにより、吸込み口８から捕獲空間Ｍに吸い込み捕獲された汚染空気Ｇが排気風路１０を通り吐出し口７側へと吸引されて流れるとき、汚染空気中から分離回収されてフィルタ部材１１に付着した油脂分や塵埃などの汚れ（付着物）を、フィルタ部材１１を駆動回転させることでフィルタ部材１１から掻き落とすように取り除くことができるように構成している。
【００３７】
≪フィルタ部材の説明≫
図３は、フィルタ部材を示す斜視図および構成説明図であり、図４は、通気部の一部を拡大して示す断面図である。ここでは、図１および図２を適宜参照しながら説明する。
なお、図４において、紙面上側が排気風路１０の排気下流側となり、紙面下側が排気風路１０の排気上流側となる。
フィルタ部材１１は、所望の金属板（亜鉛めっき鋼板、耐食アルミニウム板、ステンレス鋼板など）を用いて適宜の外径寸法を有する円盤形状に形成されている。
このフィルタ部材１１は、図３に示すように、回転中心部Ｐを中心として半径が異なる複数の各回転円周線Ｙ上に沿わせて排気空気Ｇの通気部１２をそれぞれ備えている。
【００３８】
≪通気部の説明≫
通気部１２は、切込み加工と曲げ加工などによって、各回転円周線Ｙ上に沿わせて断続的に配置されている。
この通気部１２は、図３の（ｂ）および図４に示すように、回転円周線Ｙと略平行に切り込まれる２本の切込み縁１３の間に、排気風路１０の排気上流側に面するフィルタ部材１１のフィルタ面（以後、「上流側フィルタ面」と称する）１１ａから排気下流側に向けて凸状に設けられる空気衝突面部１２ａと、この空気衝突面部１２ａと２本の切込み縁１３との間に設けられる通気孔１２ｂとから形成されている。
【００３９】
空気衝突面部１２ａは、調理中の汚染空気Ｇがフィルタ部材１１を通過するとき、汚染空気Ｇを衝突（接触）させて、油脂分や塵埃などの汚れを汚染空気Ｇから捕獲回収（分離回収）することを促進させる役目と、排気風路１０の排気下流側に面するフィルタ部材１１のフィルタ面（以後、「下流側フィルタ面」と称する）１１ｂの面方向に向けて通気孔１２ｂを開口する役目とを成すものである。
この空気衝突面部１２ａは、図４および後記の図５に示すように、上流側フィルタ面１１ａから排気風路１０の排気下流側に向けた略アーチ形状（略弓形形状）の凸状（上流側フィルタ面１１a側から見て凹状）に曲げ加工されている。
そして、空気衝突面部１２ａは、図４の（ｂ）に示すように、空気衝突面部１２ａの凸状幅Ｌ１は、２本の切込み縁１３の切込み間隔Ｌ２よりも幅狭に形成されている。
例えば、切込み間隔Ｌ２を４ｍｍとした場合、空気衝突面部１２ａの凸状幅Ｌ１を３ｍｍとして、空気衝突面部１２ａの凸状幅縁１４が、２本の切込み縁１３の縁延長線上よりも０．５ｍｍ内側に位置するように空気衝突面部１２ａの凸状幅Ｌ１が形成されている。
これにより、通気孔１２は、図４の（ｂ）および後記の図５に示すように、２本の切込み縁１３と空気衝突面部１２ａの凸状幅縁との間に断面視で略斜め開口形状または略Ｌ字開口形状にて形成される。
【００４０】
また、フィルタ部材１１は、親水性または撥水性の表面処理が施されている。これにより、汚れなどの溜まりを防ぎ、フィルタ清掃装置Ｂの後記する付着物除去手段１７の付着物除去部材１７ａによって、汚れが付着する上流側フィルタ面１１ａおよび空気衝突面部１２ａなどから汚れを速やかに、かつ、簡単に取り除くことができるようにしている。
【００４１】
図５は、フィルタ部材を通過するときの排気空気の流れを示す説明図である。
なお、図５において、紙面上側が排気風路１０の排気下流側となり、紙面下側が排気風路１０の排気上流側となる。
このように、フィルタ部材１１の回転円周線Ｙ上に沿って備えられる汚染空気Ｇの通気部１２は、下流側フィルタ面１１ｂから排気風路１１の排気下流側に向けて凸状に設けられる空気衝突面部１２ａと、空気衝突面部１２ａと２本の切込み縁１３との間に設けられる通気孔１２ｂとから形成されている通気構造であることで、調理中にフード部１の捕獲空間Ｍに吸い込み捕集された汚染空気Ｇがフィルタ部材１１を通過して排気風路１０の排気下流側へ通り抜けるとき、図５に示すように、汚染空気Ｇは空気衝突面部１２ａへ衝突（接触）しながら、側方（汚染空気Ｇが通過する方向に対して直交する下流側フィルタ面１１ｂの面方向）に向けて開口する通気孔１２ｂ方向へ向きを大きく変えながら排気下流側に抜けることとなる。
これにより、汚染空気Ｇの衝突によって油脂分や塵埃などの汚れの分離回収率（捕獲または捕集回収率）を向上させることができる。
【００４２】
≪フィルタ清掃装置の説明≫
図６および図７は、本実施形態に係るフィルタ清掃装置を示す分解斜視図である。ここでは、図１および図２を適宜参照しながら説明する。
なお、図６および図７に示すフィルタケース１５の方向性において、紙面斜め下向き右側がレンジフードＡの前側（調理者側）となり、紙面斜め上向き左側がレンジフードＡの後側（キッチン壁Ｋ側）となり、紙面斜め上向き右側と斜め下向き左側がレンジフードＡの左右両側になる。
【００４３】
フィルタ清掃装置Ｂは、フィルタ部材１１を回転可能に具備するとともに、使用とともにフィルタ部材１１の上流側フィルタ面１１ａおよび通気部１２の空気衝突面部１２ａなどに付着して堆積する油脂分や塵埃などの汚れを掻き落とすように取り除いてフィルタ部材１１の清掃を行うものである。
このフィルタ清掃装置Ｂは、図２、図６および図７に示すように、フィルタ部材１１を回転可能に支持収容するフィルタケース１５と、フィルタ部材１１を所定の回転角速度にて駆動回転させる駆動手段１６とフィルタ部材１１の上流側フィルタ面１１ａに沿わせて線状または面状に圧接させる付着物除去手段１７とを備えて構成されている。
【００４４】
≪フィルタケースの説明≫
フィルタケース１５は、鋼板やその他の不燃性材料を用いてフィルタ部材１１の外径よりも大きめの各辺寸法を有する底面視で略四角形状に形成されている上下に２分割されたケース部１５ａ，１５ｂから形成されている。
そして、上下のケース部１５ａ，１５ｂのうち、上側ケース部１５ａは、図６に示すように、両側縁辺部における前側縁辺部寄りに、外向きに延設させた取付け片部１９−１をそれぞれ備えている。一方、下側ケース部１５ｂは、図７に示すように、後側縁辺部に沿わせて外向きに屈曲させた取付け掛止片部１９−２を備えている。
これにより、フィルタケース１５は、前側寄りの両取付け片部１９−１のネジ止めと、後側の取付け掛止片部１９−２のオイルパネル５への引っ掛けによって、オイルパネル５に係脱自在に装着されるように形成されている。つまり、フィルタ部材１１を具備するフィルタ清掃装置Ｂは、適宜取り外し可能な状態で、レンジフードＡの排気風路１０に、排気上流側と排気下流側とを仕切るように配設される。
【００４５】
また、上下のケース部１５ａ，１５ｂは、開口中心部をフィルタ部材１１の回転中心部Ｐと略一致させて開口した通気開口部２０ａ，２０ｂをそれぞれ備えているとともに、通気開口部２０ａ，２０ａの一部に、開口中心部から開口円周縁に至るようにフィルタ部材１１を回転可能に取り付ける取付け部２１ａ，２１ｂをそれぞれ備えている。
【００４６】
上下の通気開口部２０ａ，２０ｂは、フィルタ部材１１の直径よりも僅かに小さい開口径にて上下のケース部１５ａ，１５ｂに円形形状にそれぞれ備えられている。これにより、吸引口８から捕獲空間Ｍに吸引捕獲された汚染空気Ｇが、上下のケース部１５ａ，１５ｂの間に位置して回転可能に支持収容されるフィルタ部材１１を通過して下流の吐出し口７へと吸引されて流れるようになっている。
【００４７】
上下の取付け部２１ａ，２１ｂは、通気開口部２０ａ，２０ｂの開口円周縁の一部（下側ケース部１５ａの後側縁辺部側に位置する円周縁部）から開口中心部の近傍に向けた底面視で内向きの略山形形状や略二等辺三角形状などの突出形状にて形成されている。また、上下の取付け部２１ａ，２１ｂは、通気開口部２０ａ，２０ｂの開口中心部の線上と同軸上とする上下の止め部材４４の軸支孔２２ａ，２２ｂをそれぞれ備えている。
これにより、図２に示すように、上下の取付け部２１ａ，２１ｂにそれぞれ備えられている軸支孔２２ａ，２２ｂに、フィルタ部材１１の回転中心部にネジ止めによって取り付けられる回転部材４２を、回転支軸部材４３と上下の止め部材４４とによって取り付けることで、上下の取付け部２１ａ，２１ｂの部分を除いて、上下の通気開口部２０ａ，２０ｂに露出させた（臨ませた）状態で、フィルタ部材１１を上下のケース部１５ａ，１５ｂの間に回転可能に支持収容し得るようにしている。
【００４８】
なお、図示を省略しているが、通気開口部２０ａ，２０ｂの開口円周縁の一部から開口中心部の近傍に向けた上下の取付け部２１ａ，２１ｂの突出形状は、底面視で長方形状などの略矩形形状などであってもよい。
また、上下の取付け部２１ａ，２１ｂは、回転中心部からさらに延長させて対向する通気開口部２０ａ，２０ｂの開口円周縁側に連設させた形態とすることもできる。つまり、通気開口部２０ａ，２０ｂは、上下の取付け部２１ａ，２１ｂを挟んで２分割された開口形状にて形成される。
【００４９】
また、上下の取付け部２１ａ，２１ｂのうち、図７に示すように、下側取付け部２１ｂには開口部２３が備えられている。この開口部２３は、下側取付け部２１ｂの内向き突出端側から下側ケース部１５ｂの後側縁辺部側に向けて付着物除去手段１７の長さに相当する平面視で略矩形形状に開口されている。
これにより、図２および後記の図９に示すように、付着物除去手段１７の後記する付着物除去部材１７ａを、上下のケース部１５ａ，１５ｂの間に臨ませた状態で、付着物除去手段１７がオイルトレイ（油受け）２５の内側に取り付けられるようにしている。
【００５０】
また、下側ケース部１５ｂの取付け部２１ｂの内向き突出端側には、開口部２３の一側短辺開口縁に沿わせてバネ材からなるトレイ取付け片部２４ａが備えられている。
このトレイ取付け片部２４ａは、後記するトレイ取付け部２４ｂとの協同でオイルトレイ２５を下側ケース部１５ｂに係脱自在に取付け支持し得るようにしている。
【００５１】
また、下側ケース部１５ｂには、図７に示すように、トレイ取付け部２４ｂが備えられている。このトレイ取付け部２４ｂは、下側ケース部１５ｂの後側縁辺部側に位置する開口部２３の両側に所定の間隔をおいて互いに向き合うようにそれぞれ折り曲げ形成されて、オイルトレイ２５の後側が抜き挿し係脱自在に取り付けられるようになっている。
【００５２】
また、下側ケース部１５ｂには、図７に示すように、整流板支持部２６がそれぞれ備えられている。この整流板支持部２６は、下側ケース部１５ｂからフック形状に垂設されて、整流板３の後側縁辺部を取り外し係脱自在で、かつ、開閉回動可能に支持するように形成されている。
【００５３】
一方、上側ケース部１５ａのコーナー１ヶ所には、図６に示すように、窓孔２７が備えられている。この窓孔２７は、駆動手段１６を構成する後記の動力伝達機構１６ｂの第１の歯車３１の外径よりも一回りほど大きく開口されている。
これにより、駆動手段１６を構成する後記のモータ１６ａを上側ケース部１５ａの外側（排気下流側）に取り付けた状態で、その出力軸３０に固着される第１の歯車３１を、上下のケース部１５ａ，１５ｂの間に臨ませ内在し得るようにしている。つまり、上下のケース部１５ａ，１５ｂの間に回転可能に支持収容されるフィルタ部材１１の外周に沿って備えられる動力伝達機構１６ｂの後記する第２の歯車３２に対して第１の歯車３１を噛合連繋し得るようになっている。
【００５４】
また、上側ケース部１５ａは、通気開口部２０ａの開口周縁に沿わせたその円周数ヶ所に歯車支持部材２８を備えている。この歯車支持部材２８は、フィルタ部材１１の外周に沿わせたリング径にて形成される第２の歯車３２のリング外周縁部を外側から掴むように支持する掴持部２８ａを備えている。
これにより、上側ケース部１５ａは、通気開口部２０ａ，２０ｂの開口中心部を回転支軸部として第２の歯車３２を、内側に回転可能に支持し得るように形成されている。
なお、図示を省略しているが、歯車支持部材２８は、合成樹脂材などからなる潤滑性の高い部材を掴持部２８ａの内側に備えて、第２の歯車３２を滑り性よく回転可能に掴持し得るようになっている。
【００５５】
≪駆動手段の説明≫
このように形成されている上下のケース部１５ａ，１５ｂの間に回転可能に支持収容されるフィルタ部材１１を駆動回転させる駆動手段１６は、モータ１６ａと、このモータ１６ａの動力をフィルタ部材１１に伝達する動力伝達機構１６ｂとを備えて構成されている。
モータ１６ａは、モータ支持台２９を介して上側ケース部１５ａ側に設置される。
モータ支持台２９は、略櫓形状に形成されており、窓孔２７の開口中心線上に位置させた上側ケース部１５ａのコーナー部外側（排気下流側）にネジ止め設置される。これにより、モータ１６ａの出力軸３０を、窓孔２７から上下のケース部１５ａ，１５ｂの間に下向き突出状に内在させるようにしている。
【００５６】
このようにして、上側ケース部１５ａに設置されるモータ１６ａは、フード部１のスイッチ操作部９に備えられている図示省略のフィルタ清掃用スイッチに電気的に接続されている。
これにより、フィルタ清掃用スイッチのＯＮ操作によって起動し、動力伝達機構１６ｂを介してフィルタ部材１１を駆動回転させ、ＯＦＦ操作によって停止するようになっている。つまり、フィルタ清掃装置Ｂは、スイッチ操作部９のフィルタ清掃スイッチのＯＮ／ＯＦＦ操作によって、運転を開始、停止するように構成されている。
【００５７】
動力伝達機構１６ｂは、フィルタ部材１１の清掃のときに、フィルタ部材１１を駆動回転させる上で最適な回転角速度にモータ１６ａの回転速度を変換する役目を成す。
この動力伝達機構１６ｂは、モータ１６ａの出力軸３０に取り付けられる第１の歯車３１と、フィルタ部材１１の外周に沿って取り付けられる第２の歯車３２とを備えて構成されている。
第１の歯車３１は、所定の外径を有するピニオンギア（小歯車）であり、モータ１６ａの出力軸３０に回転不能に固着される。
【００５８】
第２の歯車３２は、フィルタ部材１１の外周径に相当するリング径にて形成されているリング部材の外周に刻設されるラックギア（大歯車）であり、フィルタ部材１１の外周にリング部材をネジ止めなどによって取り付けることで、当該外周に沿って備えられるようになっている。
【００５９】
また、第２の歯車３２が形成されるリング部材の外周には、第２の歯車３２が形成される外周部分を除いて一回りほど大きい外径にて突出させたリング外周縁部が設けられている。
これにより、リング外周縁部を円周数ヶ所の歯車支持部材２８の掴持部２８ａに対して掴持させて、フィルタ部材１１をフィルタケース１５内に、回転支軸部材４３を支点に回転可能に支持収容し得るようにしている。つまり、モータ１６ａの動力よって駆動回転し得るようにフィルタ部材１１をフィルタケース１５内に回転可能に支持収容させる。
【００６０】
≪付着物除去手段の説明≫
図８は、付着物除去手段を示す分解斜視図であり、図９は、フィルタ部材の清掃時における付着物除去部材のフィルタ部材への圧接状態を示す説明図である。ここでは、図２および図３を適宜参照しながら説明する。
なお、図９において、紙面上側が排気風路１０の排気下流側となり、紙面下側が排気風路１０の排気上流側となる。
付着物除去手段１７は、清掃時に駆動回転するフィルタ部材１１の排気風路１０の排気上流側に面する上流側フィルタ面１１ａおよび各通気部１２の空気衝突面部１２ａなどに付着されている油脂分や塵埃などの汚れを掻き落とすように取り除くものである。
この付着物除去手段１７は、フィルタ部材１１の上流側フィルタ面１１ａ側の凸凹面（上流側フィルタ面１１ａと、この上流側フィルタ面１１ａから排気下流側に向けて凹状の空気衝突面部１２ａとからなる凸凹面）に沿わせて線状または面状に圧接させる付着物除去部材１７ａと、この付着物除去部材１７ａを上流側フィルタ面１１ａに圧接させた状態で支持する支持部材１７ｂとを備えて構成されている。
【００６１】
≪付着物除去部材の説明≫
付着物除去部材１７ａは、上流側フィルタ面１１ａ側において、該上流側フィルタ面１１ａおよび空気衝突面部１２ａに適宜の弾性力にて圧接し、フィルタ部材１１の清掃時に上流側フィルタ面１１ａおよび空気衝突面部１２ａに付着している汚れをフィルタ部材１１の駆動回転に伴い掻き落とすように取り除く。
この付着物除去部材１７ａは、適宜の弾性を有する不燃性ゴム材などを用いて、フィルタ部材１１の半径に相当する長さで、所定の幅と厚さ（板厚）を有する略帯板状に形成されている。
【００６２】
そして、付着物除去部材１７ａは、上流側フィルタ面１１ａと各通気部１２の空気衝突面部１２ａとからなる凸凹面に沿わせるように圧接させる圧接縁辺部３３に、凸部３３ａと凹部３３ｂとを備えている。
すなわち、付着物除去部材１７ａは、図８および図９に示すように、排気風路１０の排気下流側に向けた凹状の空気衝突面部１２ａに圧接させる凸部３３ａと、上流側フィルタ面１１ａに圧接させる凹部３３ｂとを長さ方向に交互に配設してなる凸凹形状に圧接縁辺部３３を形成している。
【００６３】
凸部３３ａは、図３の（ｂ）に示すフィルタ部材１１の回転中心部Ｐを中心とする各回転円周線Ｙと交差する位置において付着物除去部材１７ａの圧接縁辺部３３に設けられるものであり、上流側フィルタ面１１ａから空気衝突面部１２ａに至る高さで、空気衝突面部１２ａの凸状幅Ｌ１と略同じ突出幅にて形成されている。換言すれば、凸部３３ａは、２本の切込み縁１３の切込み間隔Ｌ２よりも狭い突出幅にて凹部３３ｂの間に形成されている。
【００６４】
また、凸部３３ａと各回転円周線Ｙと交差しない位置に設けられる凹部３３ｂとの境目には、図８に示すように、所定の長さ（深さ）の切目３４が設けられており、凹部３３ｂの底部から凸部３３ａは切り離された突出形態と成している。
これにより、凸部３３ａは、フィルタ部材１１の回転時（清掃時）において、図９の（ａ）に示すように、フィルタ部材１１の各回転円周線Ｙ上に沿って断続的に存在する空気衝突面部１２ａ（通気部１２）がフィルタ部材１１の駆動回転に伴い差し掛かったときには、突端側を僅かに弾性変形させた状態で空気衝突面部１２ａに圧接され、そして、図９の（ｂ）に示すように、空気衝突面部１２ａが通り過ぎて回転円周方向に連なる上流側フィルタ面１１ａが差し掛かったときには、切目３４によって凹部３３ｂと切り離されている根元側から大きく弾性変形せしめた状態となって凹部３３ｂとともに上流側フィルタ面１１ａに圧接されるようになっている。
【００６５】
また、凸部３３ａは、突出幅が空気衝突面部１２ａの凸状幅Ｌ１と略同じで２本の切込み縁１３の切込み間隔Ｌ２よりも狭く形成されていることで、フィルタ部材１１の回転中（清掃中）に、２本の切込み縁１３に接触することを回避される。
【００６６】
なお、図示を省略しているが、付着物除去部材１７ａを軟らかい不燃性ゴム材などを用いて形成した場合には、凸部３３ａと凹部３３ｂとの境目に切目３４を必ずしも入れる必要はない。つまり、フィルタ部材１１の清掃中、凸部３３ａが空気衝突面部１２ａ（通気部１２）間の上流側フィルタ面１１ａに差し掛かったとき、凸部３３ａが材料から得られる軟らかさによって大きく弾性変形することが期待できるからである。
【００６７】
≪支持部材の説明≫
支持部材１７ｂは、図２および図９に示すように、オイルトレイ２５に取り付けられて、付着物除去部材１７ａをフィルタ部材１１の上流側フィルタ面１１ａおよび通気部１２の空気衝突面部１２ａに適宜の圧接力にて圧接支持する役目を成すものである。
この支持部材１７ｂは、適宜の剛性を有する不燃性材料を用いて、図８および図９に示す付着物除去部材１７ａの長さと同じ程度の長さで、断面視で鈍角を成す略Ｌ字形状に形成されている。
【００６８】
このように形成されている支持部材１７ｂは、図２および図９に示すように、オイルトレイ２５の内側に取り付けられて、付着物除去部材１７ａをフィルタ部材１１の回転方向（矢印Ｘ）に向けた適宜の傾斜角度にて支持するようになっている。
これにより、付着物除去部材１７ａの圧接縁辺部３３の上流側フィルタ面１１ａおよび空気衝突面部１２ａに対する圧接を面状と成して、該上流側フィルタ面１１ａおよび空気衝突面部１２ａから汚れを効率的に掻き落し取り除くことができるようにしている。
また、付着物除去部材１７ａを洗浄するなどのときには、フィルタ清掃装置Ｂ自体をレンジフードＡから取り外すことなく、フィルタケース１５の下側ケース部１５ｂに掛脱自在に取り付けられているオイルトレイ２５を取り外すことで、オイルトレイ２５とともに付着物除去手段１７の支持部材１７ｂを含めて付着物除去部材１７ａをシンクなどにおいて丸洗いすることができるようにしている。
【００６９】
［作用説明］
つぎに、このように構成されているフィルタ清掃装置Ｂを適用させたレンジフードＡについて簡単に説明する。
調理が終わり、使用者が操作スイッチ部９を操作して送風機２の運転を停止させた後に、操作スチッチ部９のフィルタ清掃スイッチをＯＮ操作すると、フィルタ清掃装置Ｂのモータ１６ａが起動し、該モータ１６ａから出力される動力が、第１の歯車３１、第２の歯車３２を介してフィルタ部材１１に伝達され、フィルタ部材１１が所定の回転角速度で駆動回転し、フィルタ清掃装置Ｂの運転が開始する。
【００７０】
フィルタ部材１１が駆動回転すると、調理中に汚染空気Ｇ中から分離されて排気上流側に面する上流側フィルタ面１１ａおよび通気部１２の空気衝突面部１２ａに付着回収された油脂分や塵埃などの汚れは、付着物除去部材１７ａの圧接縁辺部３３に備えられている凸部３３ａと凹部３３ｂによって上流側フィルタ面１１ａおよび空気衝突面部１２ａからそれぞれ取り除かれる。
【００７１】
このようにして、付着物除去部材１７ａの圧接縁辺部３３の凸部３３ａと凹部３３ｂによって上流側フィルタ面１１ａおよび空気衝突面部１２ａから取り除かれた汚れは、下方のオイルトレイ２５に落下（流下）して回収される。
【００７２】
そして、フィルタ清掃装置Ｂを一定時間運転させたところで、使用者による操作スチッチ部９のフィルタ清掃スイッチのＯＦＦ操作によってモータ１６ａが止まり、フィルタ清掃装置Ｂの運転が停止する。
なお、フィルタ清掃装置Ｂの運転時間は、予め定められている設定時間によって行われ、設定時間が経過したところで、モータ１６ａが止まり、運転が自動的に停止するようにすることもできる。
【００７３】
≪他のフィルタ部材の説明≫
つぎに、フィルタ部材１１−１の他の実施形態について説明する。
図１０は、フィルタ部材の他の実施形態を示す斜視図であり、図１１は、断面図である。
なお、この他の実施形態に係るフィルタ部材１１−１は、回転円周線上に沿わせて通気部４０を連続的に備えた汚染空気Ｇの通気構造を採用している。それ以外の構成要素は前記の実施形態と基本的に同じことから同じ符合を付することで重複説明は省略する。
【００７４】
すなわち、フィルタ部材１１−１は、回転円周線Ｙ上に沿わせて通気部４０を連続的に配置している。
通気部４０は、回転円周線Ｙ上と略平行に切り込まれる２本の切込み縁４１の間に、排気風路１０の排気下流側に面するフィルタ部材１１−１の下流側フィルタ面１１ｂから所定の段差にて凸状に設けられる空気衝突面部４０ａと、空気衝突面部４０ａと２本の切込み縁４１との間に設けられる通気孔４０ｂとから形成されている。
回転円周線Ｙ上に沿ってリング状に連設する空気衝突面部４０ａは、図１０および図１１に示すように、回転円周線Ｙ上に沿わせて回転円周方向に等間隔をおいて設けた繋ぎ部４２によって２本の切込み縁４１にそれぞれ繋ぎ止め支持されて、２本の切込み縁４１との間に回転円周線Ｙ上に沿って連続して開口する通気孔４０ｂが形成されるようにしている。
【００７５】
なお、図示を省略しているが、この他の実施形態のフィルタ部材１１−１から汚れを取り除く付着物除去部材は、僅かな弾性を有する不燃性ゴム材やプラスチック材を選択して形成することができる。
つまり、通気部４０の空気衝突面部４０ａは、フィルタ部材１１−１の回転円周線Ｙ上に沿ってリング状に形成されていることで、前記の実施形態のように回転円周線Ｙ上の凸凹面に合わせた大きな弾性変形を必要とせずに、圧接縁辺部３３に交互に備えられる凸部３３ａと凹部３３ｂとを、汚れが付着する空気衝突面部４０ａと上流側フィルタ面１１ａとに対して確実に圧接させることができる。
【００７６】
なお、本発明の実施形態の具体的な構成は、前記した各実施形態に限られるものではなく、請求項１から請求項７に記載の本発明の要旨を逸脱しない範囲で設計変更などがあっても本発明に含まれるものである。
例えば、通気部１２，４０の空気衝突面部１２ａ，４０ａを、排気風路１０の排気上流側に向けた凸状に形成することができる。
【符号の説明】
【００７７】
Ａ      レンジフード
Ｂ      フィルタ清掃装置
１      フード部
２      送風機
７      吐出し口
８      吸込み口
１０    排気風路
１１，１１−１  フィルタ部材
１１ａ，１１ｂ  フィルタ面
１２，４０  通気部
１２ａ，４０ａ  空気衝突面部
１２ｂ，４０ｂ  通気孔
１３    切込み縁
１６    駆動手段
１７    付着物除去手段
１７ａ  付着物除去部材
１７ｂ  支持部材
３３    圧接縁辺部
３３ａ  凸部
３３ｂ  凹部
Ｇ      汚染空気
Ｐ      回転中心部
Ｗ      回転円周線
【図１】
0005542606.tif 000002
【図２】
0005542606.tif 000003
【図３】
0005542606.tif 000004
【図４】
0005542606.tif 000005
【図５】
0005542606.tif 000006
【図６】
0005542606.tif 000007
【図７】
0005542606.tif 000008
【図８】
0005542606.tif 000009
【図９】
0005542606.tif 000010
【図１０】
0005542606.tif 000011
【図１１】
0005542606.tif 000012